(57)【要約】【課題】郵便封筒が複数枚繋がっていて、切離して郵便封筒として使用する紙製品に関し、封筒の印刷を簡単に能率良く行うことができ、封入する文書の用紙寸法に合わせて定形と非定形とに使い分けて使用することができ、収納スペースも小さくできる封筒用紙を得る。【解決手段】Ａ４サイズのものは、上辺３並びに縦方向となる長手両側辺２、４及び中央線５に沿って折曲げ連結ないし貼着されたＡ４サイズの２枚の紙片１ａ、１ｂからなり、当該紙片は長手中央の切離し線６と下辺部に所定間隔を隔てて設けた横方向の２本の折曲げ線７、８とを備えている。Ａ３サイズのものは、上辺となる一長辺及び両側辺並びに前記長辺を４等分する短辺に平行な３本の縦線に沿って折曲げ連結ないし貼着された２枚のＡ３サイズの紙片からなり、前記縦線の位置に設けられた切離し線と、下辺部に所定間隔を隔てて設けられた２本の横方向の折曲げ線とを備えている。【選択図】　　　図１
2004043028.tif 000002
【特許請求の範囲】
【請求項１】
上辺（３）並びに縦方向となる長手両側辺（２，４）及び中央線（５）に沿って折曲げ連結ないし貼着されたＡ４サイズの２枚の紙片（１ａ，１ｂ）からなり、当該紙片は長手中央の切離し線（６）と下辺部に所定間隔を隔てて設けた横方向の２本の折曲げ線（７，８）とを備えている、郵便封筒用紙。
【請求項２】
上辺となる一長辺（３）及び両側辺（４）並びに前記長辺を４等分する短辺に平行な（３）本の縦線（５）に沿って折曲げ連結ないし貼着された２枚のＡ３サイズの紙片（１ａ，１ｂ）からなり、前記縦線の位置に設けられた切離し線（６）と、下辺部に所定間隔を隔てて設けられた２本の横方向の折曲げ線（７，８）とを備えている、郵便封筒用紙。
【請求項３】
裏面となる紙片（１ｂ）の下方の折曲げ線（８）より下の部分が切除されている、請求項１又は２記載の郵便封筒用紙。
【請求項４】
表となる紙片（１ａ）の下方の折曲げ線（８）より下のフラップ（１１）となる部分の裏面に粘着剤が付与されている、請求項１、２又は３記載の郵便封筒用紙。
【請求項５】
上辺（３）並びに縦方向となる長手両側辺（２，４）及び中央線（５）に沿って折曲げ連結ないし貼着された横寸法がＡ４サイズで縦寸法がＡ４サイズより小さい２枚の紙片（１ａ，１ｂ）からなり、当該紙片は長手中央の切離し線（６）と下辺部の横方向の１本の折曲げ線（７）とを備えている、郵便封筒用紙。
【請求項６】
上辺となる一長辺（３）及び両側辺（４）並びに前記長辺を４等分する短辺に平行な３本の縦線（５）に沿って折曲げ連結ないし貼着された横寸法がＡ３サイズで縦寸法がＡ３サイズより小さい２枚の紙片（１ａ，１ｂ）からなり、前記縦線の位置に設けられた切離し線（６）と、下辺部の１本の横方向の折曲げ線（７）とを備えている、郵便封筒用紙。
【請求項７】
裏面となる紙片（１ｂ）の上記折曲げ線（７）より下の部分が切除されている、請求項５又は６記載の郵便封筒用紙。
【請求項８】
表となる紙片（１ａ）の上記折曲げ線（７）より下のフラップ（１１）の部分の裏面に粘着剤が付与されている、請求項５、６又は７記載の郵便封筒用紙。
【請求項９】
切離し線（６）で区画された領域の表となる紙片（１ａ）の表面右上部に郵便番号記入枠（１０）が表示されている、請求項１から８のいずれか１記載の郵便封筒用紙。
【発明の詳細な説明】
【０００１】
【発明の属する技術分野】
この発明は、郵便封筒が複数枚繋がっていて、切離して郵便封筒として使用する紙製品に関するものである。
【０００２】
【従来の技術】
郵便封筒には種々の形状及びサイズのものがあるが、我が国では縦長で上辺部に書類を入れる開口と、その開口を封鎖するフラップとを設けたものが多く用いられている。業務用には長３号と呼ばれる規格寸法のものが最も多く用いられており、幅１２０ｍｍ、長さ２３５ｍｍの大きさで、Ａ４サイズの紙を三つ折にして封入することができる。我が国の郵便システムでは、上記縦横寸法以内の封筒は、いわゆる定形郵便物として比較的安価な料金で郵送できるようになっている。
【０００３】
一方、一般に使用される紙の大きさについても規格が設けられており、世界的にはＡ版と呼ばれる規格のものが、我が国ではＡ版とＢ版と呼ばれる規格のものが多く用いられ、特に事務用箋としては、幅２１０ｍｍ、長さ２９７ｍｍのＡ４版と呼ばれるサイズのものが最も多く用いられている。Ｂ版はＡ版の約１．５倍の面積で、Ｂ５版やＢ４版の用紙も用いられるが、Ｂ４版の用紙は、短辺の長さが前記定形と呼ばれる封筒の縦寸法より大きいので、幅方向にも折り曲げて六つ折にしなければ封入することができない。そこでこのような大型の用紙を複数枚郵送するときは、角封筒と呼ばれている大型の封筒を用いることになるが、郵送料が高くなる。また、Ｂ４の用紙を幅方向に折り曲げることなく封入できるような縦寸法の長い封筒も提供されているが、このような封筒を用いたときも郵送料は割高になる。
【０００４】
封筒を業務用に用いるときは、封筒に予め差出人の住所や名称を印刷して用いることが多く、このような場合には、会社のロゴやキャッチフレーズを多色印刷する場合も多い。従来一般的に用いられている封筒は、背面中央に重ね合せた糊付部分があり、更に下辺のフラップが折り曲げて糊付けされている。従って、下辺中央は４枚の紙が重なった状態となっており、一方、上辺の折り曲げてないフラップの部分は用紙１枚の厚さである。
【０００５】
封筒に印刷を行うときは、先端辺を爪で掴んで封筒を１枚ずつ印刷機に送り込む必要があるが、積み重ねた状態で高さ方向の位置が安定するのは、厚さの厚い下辺の方であるため、下辺を掴んで送り込まれる。そのため、従来の封筒では、差出人名などが印刷される封筒の下辺部に印刷不能領域が生ずる。
【０００６】
一方、印刷といえば、従来は活版印刷か平版印刷であったが、カラーコピーやインクジェットを利用したオンデマンド印刷機なども提供されるようになっており、これらは比較的小ロットの多色印刷に利用されている。前述したように、用紙サイズに規格が定められている関係上、印刷機もこの用紙サイズに合わせて製造されており、コピー機やオンデマンド機などは、Ａ４又はＡ３サイズの用紙を印刷するのに便利なように設計されている。封筒は前述したように、寸法が通常の用紙寸法と異なっており、更に部分的に用紙が重なり合っていて厚さが不均一なので、自動給紙が難しく印刷機の傷みも早い。封筒専用の印刷機も提供されているが、３色以上の多色印刷ができるものは殆どなく、オンデマンド機なども提供されていない。従って、封筒の印刷、特に比較的小ロットの多色印刷を行おうとすると、設備及び技術的な困難が伴い、手間がかかって生産性も上がらない。
【０００７】
差出人等を印刷した封筒の制作方法として、用紙に印刷してから裁断、糊付け及び折曲げを行って封筒にするという方法があるが、この方法は、同一の印刷をした封筒を大量に製造する場合でなければ、コスト高になってしまう。
【０００８】
【発明が解決しようとする課題】
この発明は、各種の印刷手段を用いた封筒の印刷を簡単に、かつ能率良く行うことができ、しかも封入する文書の用紙寸法に合わせて定形寸法又は非定形の大型の用紙を封入可能な封筒に使い分けて使用することができ、従来の封筒で生じた下辺部の印刷不能領域をなくすことができると共に、裏面の一部となる部分にも印刷が可能で、更に運搬や在庫時の収納スペースも小さくすることが可能な封筒用紙を得ることを課題としている。
【０００９】
【課題を解決するための手段】
請求項１に係る郵便封筒用紙は、上辺３並びに縦方向となる長手両側辺２、４及び中央線５に沿って折曲げ連結ないし貼着されたＡ４サイズの２枚の紙片１ａ、１ｂからなり、当該紙片は長手中央の切離し線６と下辺部に所定間隔を隔てて設けた横方向の２本の折曲げ線７、８とを備えているものである。
【００１０】
また請求項２に係る郵便封筒用紙は、上辺となる一長辺３及び両側辺４並びに前記長辺を４等分する短辺に平行な３本の縦線５に沿って折曲げ連結ないし貼着された２枚のＡ３サイズの紙片１ａ、１ｂからなり、前記縦線の位置に設けられた切離し線６と、下辺部に所定間隔を隔てて設けられた２本の横方向の折曲げ線７、８とを備えているものである。
【００１１】
請求項３及び請求項４記載の発明は、上記請求項１又は請求項２記載の発明の封緘作業を容易にするもので、請求項３に係る郵便封筒用紙は、裏面となる紙片１ｂの下方の折曲げ線８より下の部分が切除されている請求項１又は２記載の郵便封筒用紙である。また請求項４に係る郵便封筒用紙は、表となる紙片１ａの下方の折曲げ線８より下のフラップ１１となる部分の裏面に粘着剤が付与されている、請求項１、２又は３記載の郵便封筒用紙である。
【００１２】
請求項５ないし請求項８に係る発明は、請求項１ないし請求項４に係る郵便封筒用紙を定型サイズの封筒としてのみ用いるときに好適な構造としたものである。
【００１３】
請求項５記載の郵便封筒用紙は、上辺３並びに縦方向となる長手両側辺２、４及び中央線５に沿って折曲げ連結ないし貼着された横寸法がＡ４サイズで縦寸法がＡ４サイズより小さい２枚の紙片１ａ、１ｂからなり、当該紙片は長手中央の切離し線６と下辺部の横方向の１本の折曲げ線７とを備えているものである。
【００１４】
また請求項６記載の郵便封筒用紙は、上辺となる一長辺３及び両側辺４並びに前記長辺を４等分する短辺に平行な３本の縦線５に沿って折曲げ連結ないし貼着された横寸法がＡ３サイズで縦寸法がＡ３サイズより小さい２枚の紙片１ａ、１ｂからなり、前記縦線の位置に設けられた切離し線６と、下辺部の１本の横方向の折曲げ線７とを備えているものである。
【００１５】
そして上記請求項５及び６の封筒用紙への封緘作業を容易にした請求項７の郵便封筒用紙は、裏面となる紙片１ｂの上記折曲げ線７より下の部分が切除されている請求項５又は６記載の郵便封筒用紙であり、請求項８の郵便封筒用紙は、表となる紙片１ａの上記折曲げ線７より下のフラップ１１の部分の裏面に粘着剤が付与されている、請求項５、６又は７記載の郵便封筒用紙である。
【００１６】
郵便封筒用紙には、郵便番号記入枠を予め印刷しておくと、差出人の名称などを赤色を使用しないで印刷するときの印刷作業が容易になる。請求項９記載の郵便封筒用紙は、切離し線６で区画された領域の表となる紙片１ａの表面右上部に郵便番号記入枠１０が表示されている、請求項１から８のいずれか１記載の郵便封筒用紙である。
【００１７】
この発明の郵便封筒用紙は、この用紙の状態で所望の印刷を行う。用紙のサイズは、Ａ４若しくはＡ３又はその一辺を若干短くしたサイズであり、用紙厚さも全面ないし略全面に亘って紙２枚の厚さであるから、印刷機の用紙ホッパに積重ねた状態も安定し、用紙１枚毎の分離給送も円滑に行うことができる。また、Ａ４で２枚、Ａ３で４枚の封筒を同時印刷できるため、同じ数の封筒を印刷する場合の印刷機への通し数が減少し、印刷効率が向上する。また、用紙寸法が規格寸法で厚さも全体が一定厚さなため、カラーコピーやインクジェットを利用したオンデマンド機でも問題なく自動挿通することができ、小ロットのカラー印刷が簡単に可能になる。また、印刷機には折曲げ連結又は貼着されている上辺を先端辺として挿通されるため、封筒の下辺部分に印刷不能領域が生ずることがなく、表面の下部及び裏面への折曲げ部分の自由な印刷が片面のみの印刷で可能になる。
【００１８】
封筒を使用するときは、切離し線で切離し、下辺の開口から書類を封筒内に入れ、折曲げ線から下の部分を裏面へ折曲げて貼着することによって封入する。
【００１９】
用紙の封筒の縦方向となる辺の寸法をＡ４又はＡ３サイズより短くして、下辺部に一本の折曲げ線７を設けたものは、Ａ４用紙を封入するための、いわゆる定形用の封筒として用いる。用紙寸法をＡ４又はＡ３サイズそのままにして、封筒の下辺部分に２本の折曲げ線７、８を設けたものは、Ａ４サイズの書面を封入するときは、上方の第１の折曲げ線７で裏側へ折曲げて封筒の縦寸法を定型寸法とし、Ｂ４サイズの文書を封入するときは、必要に応じて下方の第２の折曲げ線８で折曲げて封入する。
【００２０】
２本の折曲げ線７、８を設けた封筒用紙においては、用紙に形成された各封筒の中央部における位置が第２の折曲げ線８の位置で、両端が第１の折曲げ線７に達する、コ字形のミシン目３０を設けて切取り可能にするか、あるいは当該コ字形より外側の部分を切除して粘着剤の塗布と剥離シート１２の貼付を行っておくことにより、第２の折曲げ線８で折ったときにフラップの側辺に糊付けされない部分が生ずるのを避けることができる。
【００２１】
この発明の封筒用紙は、厚さが全体に亘って紙２枚分の厚さであるから、最も厚い箇所が紙４枚分の厚さの従来の封筒に比べて、多数枚を積み重ねたときの積み重ね高さが小さくなり、従って無駄な空間が生じないため、収納したり搬送したりするときのスペースも小さくて済む。そして、収納容器となる段ボール箱なども、Ａ３やＡ４用紙用のものを用いることができる。
【００２２】
裏側の紙片１ｂの折曲げ線８より下方の部分を切除したものや、この切除部分に対向する表側の紙片１ａの裏面部分に粘着剤を付与したものは、封筒内に文書を挿入した後の封緘作業が容易になる。また、ダイレクトメールのように同一内容の文書を封入した封書を多数発送するときは、２枚又は４枚の封筒を繋げたままそれぞれの封筒に文書を挿入し、その後２枚又は４枚の封筒を一括して封緘して、切離し線６から切離すという方法で作業を行うことにより、能率の良い文書の封入作業を行うことができる。
【００２３】
【発明の実施の形態】
図１は、請求項１の発明に係る郵便封筒用紙の実施例を示した図である。図１（ａ）に示すように、横長にしたＡ３サイズの用紙の裏面上辺１３と両側辺１４及び左右の側辺から上辺の４分の１の距離の部分１５に、上辺及び側辺の部分は幅３ｍｍ程度、上辺の４分の１の距離の部分には幅６ｍｍ程度の接着剤を糊付けローラで付与し（図１（ａ））、中央で２つに折曲げてＡ４サイズの大きさとすることにより（図１（ｂ））、一方の側辺２が折曲げ連結され、上辺３、他方の側辺４及び中央縦線５の部分で貼着されたＡ４サイズ（幅ｗ＝２１０ｍｍ，縦長さｈ＝２９７ｍｍ）の２枚重ね用紙を形成し、その中央縦線５相互が糊付けされた部分に沿って切離し線となるミシン目６を設け、上辺からの寸法ａ＝２３５ｍｍの位置とｂ＝２８５ｍｍの位置とに、第１の折曲げ線７と第２の折曲げ線８となるミシン目を設ける（図１（ｃ））。
【００２４】
この状態のＡ４サイズの用紙おける側辺４及び中央縦線５部分の糊付けは、上辺から第２の折曲げ線８までの長さとする。すなわち、第２の折曲げ線８より下の部分は、表裏の紙片１ａ、１ｂは貼着されていない。
【００２５】
封筒に印刷を行うときは、この状態で印刷機に挿入し、封筒の下方となる部分に所望の印刷９を行う。このとき、郵便番号記入枠１０も印刷する（図１（ｄ））。
【００２６】
封筒を使用するときは、下辺の糊付けされていない開口から書類を封筒内に挿入し、裏面の紙片１ｂの第２の折曲げ線８から下の部分を切離し、この切離した後に残った表側の紙片１ａのフラップとなる部分を第１の折曲げ線７又は第２の折曲げ線８から裏側に折曲げて糊付けすることにより、封緘する。前述したように、第１の折曲げ線７で折れば定形寸法となり、Ｂ４サイズの書面を幅方向に折曲げないで封入するときは、第２の折曲げ線８で折曲げて封緘する。２枚繋がった封筒は、書面を封入した後又は封入する前に切離し線６で切離す。
【００２７】
図２は、請求項２の発明に係る郵便封筒用紙の実施例を示したものである。この第２実施例のものは、図２（ａ）に示すように、縦長にしたＡ２サイズの用紙の長手両側辺２４及びそれぞれの側辺から幅方向４分の１の距離の部分と中央とに、縦方向１５に細幅に接着剤を付与した後、長手方向中央の折曲げ線２３から２つ折にして細幅の接着剤付与部相互を接着する（図２（ｂ））。そして、幅方向中央及び側辺から幅方向４分の１の距離の縦線５に沿って切離し線となるミシン目６を入れ、更に下方に下辺と平行に第１と第２の折曲げ線７、８となるミシン目を入れて、四面付けの封筒用紙とする（図２（ｃ））。
【００２８】
この図２の封筒用紙への印刷は、Ａ３用紙用の印刷機を用いて、通常の用紙に対する印刷と同様な操作で行うことができ、４枚の封筒に対する印刷を一通しで行うことができる（図２（ｄ））。また、この封筒用紙の場合も全面が紙２枚重ねの厚さなので、印刷機のホッパへの用紙の積重や印刷機への用紙の挿通は、通常の用紙への印刷の場合と同様に円滑に行うことができ、従って一般的な各種構造の印刷機を用いて封筒に対する印刷を行うことが可能になる。
【００２９】
この第２実施例の郵便封筒用紙は、図１の郵便封筒用紙に比べて二面付けか四面付けかの相違があるだけで、使用方法は図１のものと同じである。
【００３０】
図３は、図１の用紙に対する請求項３及び４の発明の実施例を示した図、図４は図２の用紙に対する請求項３及び４の発明の実施例を示した図である。図３の例では、封筒の裏面側となる紙片１ｂの第２の折曲げ線８より下になる部分を、２枚合わせにする前のＡ３サイズの用紙の段階で切除してある（図３（ａ））。そして、図１と同様な手順で封筒が２枚繋がった形の封筒用紙を形成し、その表側の紙片１ａの第２の折曲げ線８より下のフラップ１１となる部分の裏面側に粘着剤を印刷により付与し、その上に剥離シール１２を貼着している（図３（ｂ））。
【００３１】
また図４の例では、封筒の裏面側となる紙片１ｂの第２の折曲げ線８より下になる部分を、２枚合わせにする前のＡ２サイズの用紙の段階で切断してある（図４（ａ））。すなわち、２枚合わせにする際の折曲げ線２３からの縦寸法が表側の紙片１ａではｈ＝２９７ｍｍ、裏側の紙片１ｂではｂ＝２８５ｍｍとなっている。そして図１と同様な手順で封筒が４枚繋がった形の封筒用紙を形成し、その表側の紙片１ａの第２の折曲げ線８より下のフラップ１１となる部分の裏面側に粘着剤を印刷により付与し、その上に剥離シール１２を貼着している（図４（ｂ））。
【００３２】
図５は、請求項５、７及び８の発明に対応する実施例を示すもので、図１の実施例の第１の折曲げ線７から下にフラップ１１の寸法を加えた位置で横方向に切断したものである。すなわち、この実施例の封筒用紙の縦方向の寸法は、定型封筒の縦長さにフラップ１１の寸法を加えた長さで、Ａ４用紙の縦長さより短い。この実施例では、裏側の紙片１ｂの折曲げ線７より下の部分は、予め切除してあり、この切除部に対向する表側の紙片１ａのフラップ１１の部分の裏面に粘着剤が印刷され、その上に剥離シール１２が貼着されている。
【００３３】
図６は、請求項６、７及び８の発明に対応する実施例を示すもので、図２の実施例の用紙の第１の折曲げ線７から下にフラップ１１の寸法を加えた位置で横方向に切断したものである。図５のものと同様に、この実施例の封筒用紙の縦方向の寸法は、定型封筒の縦長さにフラップ１１の寸法を加えた長さで、Ａ３用紙の幅寸法より短い。この実施例においても、裏側の紙片１ｂの折曲げ線７より下の部分は予め切除してあり、この切除部に対向する表側の紙片１ａのフラップ１１の部分の裏面に粘着剤が印刷され、その上に剥離シール１２が貼着されている。
【００３４】
図５及び図６の実施例のものは、定形寸法の封筒のみを使用する場合に封緘作業をより体裁良くでき、また封筒用紙としての寸法が縦又は幅寸法が若干短いＡ４又はＡ３寸法となるので、Ａ４又はＡ３仕様の印刷機でＡ４又はＡ３用紙に印刷する場合と同様な操作で印刷を行うことができる。
【００３５】
図７及び図８は、図１及び図２の郵便封筒用紙の変形例を示した図で、用紙の下辺部分を裏面側から見た図である。この例では、用紙に形成された各封筒の中央部における位置が第２の折曲げ線８の位置で、両端が第１の折曲げ線７に達する、コ字形のミシン目３０を設けている。コ字形の隅の部分３１ではミシン目が円弧になっている。これは、内容物を封筒に挿入しやすくするためである。用紙の側辺４及び中央縦線５部分の糊付けは、封筒の上辺から第１の折曲げ線７までの長さである。
【００３６】
封筒を使用するときは、下辺の糊付けされていない開口から書類を封筒内に挿入し、裏面の紙片１ｂのコ字形のミシン目３０の外側の部分を切離して取除き、取除いた後に残った表側の紙片１ａのコ字形の裏面に糊を付け、第１の折曲げ線７又は第２の折曲げ線８から下のフラップとなる部分を折曲げて裏側の紙片１ｂに貼付ける。図１や図２のものと同様に、第１の折曲げ線７で折れば定形寸法となり、第２の折曲げ線８で折曲げれば非定型となる。この図７及び図８のものでは、第１の折曲げ線７で折ったときも第２の折曲げ線８で折ったときも、その折曲げ片の側辺も糊付けされるため、封緘が確実になり、フラップが引っ掛かる危険もない。
【００３７】
図９及び図１０は、図８及び図９の封筒用紙についての請求項３及び４の発明の実施例を示した図である。この例では、封筒の裏面側となる紙片１ｂの図７、８のコ字形のミシン目３０の両側及び下の部分を、表裏の紙片１ａ、１ｂを２枚合わせにする前の段階で切除し、２枚合せにした後にコの字形表れる部分３２に粘着剤を印刷により付与し、その上に剥離シール１２を貼着している。
【００３８】
上記実施例では、Ａ３又はＡ２サイズの用紙を二つ折りにしてＡ４又はＡ３サイズの表裏の紙片からなる郵便封筒用紙を形成した例を示したが、Ａ４又はＡ３サイズの表用紙と裏用紙を２枚合わせに貼着して同サイズの封筒用紙を形成することも勿論可能である。更に表紙用のロール紙と裏紙用のロール紙とをＡ４又はＡ３サイズの三辺及び切離し線となる線に沿う細幅の糊付け部分で貼り合わせ、そのあと上記糊付け部分の中心線に沿ってＡ４又はＡ３サイズに裁断して封筒用紙を形成することもできる。２枚の用紙を貼り合わせてこの発明の郵便封筒用紙とするときは、表紙と裏紙とを印刷適正や価格、強度等を考慮して別々の紙質のものとすることもできる。
【図面の簡単な説明】
【図１】第１実施例の封筒用紙とその製造過程とを示す図
【図２】第２実施例の封筒用紙とその製造過程とを示す図
【図３】第３実施例の材料用紙と封筒用紙の裏面とを示す図
【図４】第４実施例の材料用紙と封筒用紙の裏面とを示す図
【図５】第５実施例の封筒用紙の表面と裏面とを示す図
【図６】第６実施例の封筒用紙の表面と裏面とを示す図
【図７】第１実施例の封筒用紙の変形例を示す裏面図
【図８】第２実施例の封筒用紙の変形例を示す裏面図
【図９】第３実施例の封筒用紙の変形例を示す裏面図
【図１０】第４実施例の封筒用紙の変形例を示す裏面図
【符号の説明】
１ａ，１ｂ　紙片
２　側辺
３　上辺
４　側辺
５　中央縦線
６　ミシン目
７　折曲げ線
８　折曲げ線
１０　郵便番号記入枠
１１　フラップ
【図１】
2004043028.tif 000003
【図２】
2004043028.tif 000004
【図３】
2004043028.tif 000005
【図４】
2004043028.tif 000006
【図５】
2004043028.tif 000007
【図６】
2004043028.tif 000008
【図７】
2004043028.tif 000009
【図８】
2004043028.tif 000010
【図９】
2004043028.tif 000011
【図１０】
2004043028.tif 000012